(57)【要約】【課題】メンテナンス等を頻繁に行うことなく、冷却水等の液体から気泡を確実に除去して海等に放流することができ、景観を損ねることを防止し得る消泡装置を提供する。【解決手段】ピット２を、整流版８によって、冷却水等の液体１が導入される導入側ピット部２ａと、反整流版８側の底部に放流口５が形成された放流側ピット部２ｂとに仕切ると共に、前記整流版８に、導入側ピット部２ａに導入された冷却水等の液体１を放流側ピット部２ｂへ向け斜め上方向への速度ベクトルを与えつつ放流側ピット部２ｂへ導く複数の流通孔８ａを穿設し、前記放流側ピット部２ｂに貯留される冷却水等の液体１の表層部に、前記整流版８を通過した冷却水等の液体１に含まれる気泡を溜め且つ該気泡が放流口５側へ移動することを阻止するカーテンウォール７を配設する。【選択図】図１
2005224680.tif 000002
【特許請求の範囲】
【請求項１】
ピットに導入された液体を、該液体に含まれる気泡をなくして放流口から放流するようにした消泡装置において、
ピットを、整流版によって、液体が導入される導入側ピット部と、反整流版側の底部に放流口が形成された放流側ピット部とに仕切ると共に、前記整流版に、導入側ピット部に導入された液体を放流側ピット部へ向け斜め上方向への速度ベクトルを与えつつ放流側ピット部へ導く複数の流通孔を穿設し、前記放流側ピット部に貯留される液体の表層部に、前記整流版を通過した液体に含まれる気泡を溜め且つ該気泡が放流口側へ移動することを阻止するカーテンウォールを配設したことを特徴とする消泡装置。
【請求項２】
整流版に穿設される各流通孔の水平に対する傾斜角度を４５°以上とした請求項１記載の消泡装置。
【請求項３】
整流版の液体中に浸る部分の総面積に対する流通孔の開口率を４０〜５０［％］とした請求項１又は２記載の消泡装置。
【請求項４】
放流側ピット部のカーテンウォールより放流口側に貯留される液体の表層部に、気泡を壊すための浮体を配設した請求項１〜３いずれかに記載の消泡装置。
【請求項５】
浮体の液体に対する接触面に消泡剤を塗布するようにした請求項４記載の消泡装置。 
【発明の詳細な説明】
【技術分野】
【０００１】
本発明は、消泡装置に関するものである。
【背景技術】
【０００２】
一般に、発電プラントや工場等において各種機器の冷却に使用された冷却水等の液体は、海等に放流されるが、前記冷却水等の液体は大量の気泡を巻き込んでいるため、そのまま海等に放流すると、海面に気泡が広がって景観を損ねるという問題があった。
【０００３】
このように海面に気泡が広がってしまうことを防止するためには、前記冷却水等の液体を海等に放流する前に、一旦ピットに貯留してやることが有効であるが、該ピットに対し前記冷却水等の液体を滝落とし状態で導入する方式とした場合、ピットに貯留される液体の表層部分で気泡が更に発生する形となり、あまり好ましいとは言えない。
【０００４】
但し、前記冷却水等の液体をピットに対し滝落とし状態で導入する方式とした場合であっても、全長を長くしたピットに貯留し、気泡を完全に表層部分に浮かせてから、ピットの底部より前記冷却水等の液体を海等に放流してやれば、海面に気泡が広がってしまうことを防止でき、景観を損ねる心配はないが、この場合、ピットの全長を非常に長くする（例えば、１００［ｍ］以上）必要があり、敷地等の制約から実施が困難となることが多い。
【０００５】
又、前記冷却水等の液体をピットへ導くための暗渠を地中の所要深さ位置に埋設し、前記冷却水等の液体をピットに対し滝落としとせずにピットの底部から導入することが、気泡を分離する上で有効となることは従来より知られている。
【０００６】
しかしながら、地中に既に各種ケーブルや配管等が埋設されており、前記暗渠を地中の所要深さ位置に埋設できないような場合には、前記冷却水等の液体を滝落とし状態で導入する方式を採用せざるを得ない。尚、前記地中に既に埋設されている各種ケーブルや配管等を避けて更に深い位置に前記暗渠を埋設することは可能であるが、現実問題として、掘削工事が大掛かりとなって費用も嵩み、実施は困難となる。
【０００７】
このため、従来においては、例えば、図３に示される如く、冷却水等の液体１が導入されるピット２の上部に、目の細かい格子状のスクリーン３を水平配置し、前記ピット２の底面に冷却水等の液体１の抜出流路４を形成し、該抜出流路４から抜き出される冷却水等の液体１を貯留し且つ反抜出流路４側の底部に放流口５が形成された放流槽６を設け、該放流槽６に貯留される冷却水等の液体１の表層部に、前記抜出流路４から抜き出される冷却水等の液体１に含まれる気泡を溜め且つ該気泡が放流口５側へ移動することを阻止するカーテンウォール７を配設するようにした消泡装置があった。
【０００８】
図３に示されるような消泡装置においては、ピット２の上部に水平配置された格子状のスクリーン３の上に冷却水等の液体１が滝落とし状態で導入され、該冷却水等の液体１がスクリーン３を通過する際にその流速が低下することにより、気泡が分離され、この後、前記冷却水等の液体１は、ピット２の底面に形成された抜出流路４から抜き出されて放流槽６に貯留され、前記ピット２において分離されずに冷却水等の液体１に同伴された気泡は、カーテンウォール７により溜められて放流口５側へ移動することが阻止され、気泡のなくなった冷却水等の液体１が放流口５から海等に放流される。
【０００９】
尚、前述の如き消泡装置と関連する従来の消泡装置を示すものとしては、例えば、特許文献１がある。
【特許文献１】特開平８−８４９０１号公報
【発明の開示】
【発明が解決しようとする課題】
【００１０】
しかしながら、前述の如く目の細かい格子状のスクリーン３を用いた消泡装置では、冷却水等の液体１の滝落とし状態での導入に対応できる反面、スクリーン３の目詰まり等が発生しやすく、メンテナンスが大変になるという不具合を有していた。
【００１１】
一方、その他の消泡装置としては、例えば、ピットに導入された冷却水等の液体にスプレーノズルから大量の消泡剤を噴霧し、化学的に気泡を除去しようとするものもあるが、海洋汚染の原因となることが懸念されるため、ほとんど実施されていないのが現状であった。
【００１２】
本発明は、斯かる実情に鑑み、メンテナンス等を頻繁に行うことなく、冷却水等の液体から気泡を確実に除去して海等に放流することができ、景観を損ねることを防止し得る消泡装置を提供しようとするものである。
【課題を解決するための手段】
【００１３】
本発明は、ピットに導入された液体を、該液体に含まれる気泡をなくして放流口から放流するようにした消泡装置において、
ピットを、整流版によって、液体が導入される導入側ピット部と、反整流版側の底部に放流口が形成された放流側ピット部とに仕切ると共に、前記整流版に、導入側ピット部に導入された液体を放流側ピット部へ向け斜め上方向への速度ベクトルを与えつつ放流側ピット部へ導く複数の流通孔を穿設し、前記放流側ピット部に貯留される液体の表層部に、前記整流版を通過した液体に含まれる気泡を溜め且つ該気泡が放流口側へ移動することを阻止するカーテンウォールを配設したことを特徴とする消泡装置にかかるものである。
【００１４】
上記手段によれば、以下のような作用が得られる。
【００１５】
冷却水等の液体は、整流版によって仕切られたピットの導入側ピット部に導入され、該導入側ピット部から整流版の複数の流通孔を通過する際、放流側ピット部へ向け斜め上方向への速度ベクトルが与えられつつ放流側ピット部へ導かれ、これにより、液体に同伴された気泡は、放流側ピット部に貯留される液体の表層部に集められる形となり、そこに配設されたカーテンウォールにより溜められて放流口側へ移動することが阻止され、気泡のなくなった液体が放流口から海等に放流される。
【００１６】
この結果、液体の滝落とし状態での導入に対応できると共に、従来のように目の細かい格子状のスクリーンを用いる必要がなく、複数の流通孔が穿設された整流版を設ければ良いため、該整流版の流通孔には目詰まり等が発生しにくく、メンテナンス等を頻繁に行わなくて済む。
【００１７】
前記消泡装置においては、整流版に穿設される各流通孔の水平に対する傾斜角度を４５°以上とすることが有効となり、又、整流版の液体中に浸る部分の総面積に対する流通孔の開口率を４０〜５０［％］とすることが有効となる。
【００１８】
更に、前記消泡装置においては、放流側ピット部のカーテンウォールより放流口側に貯留される液体の表層部に、気泡を壊すための浮体を配設することが望ましく、このようにすると、仮に気泡がカーテンウォールをくぐり抜けて放流口側に移動したり、或いは分離されずに液体に同伴された気泡があったとしても、該気泡は、浮体によりその重みで押し潰される形で壊され、放流口から海等に放流されることがより確実に阻止されることとなる。
【００１９】
又、前記浮体の液体に対する接触面に消泡剤を塗布することもでき、このようにすると、気泡を浮体によりその重みで押し潰す形で壊すだけでなく、更に消泡剤により気泡の表面張力をなくして、該気泡の除去をより確実に行うことが可能となる。尚、この場合、浮体の液体に対する接触面に塗布する消泡剤は少量で良く、液体にスプレーノズルから大量の消泡剤を噴霧するのとは異なり、海洋汚染の原因となる心配はない。
【発明の効果】
【００２０】
本発明の請求項１〜５記載の消泡装置によれば、メンテナンス等を頻繁に行うことなく、冷却水等の液体から気泡を確実に除去して海等に放流することができ、景観を損ねることを防止し得るという優れた効果を奏し得る。
【発明を実施するための最良の形態】
【００２１】
以下、本発明の実施の形態を添付図面を参照して説明する。
【００２２】
図１及び図２は本発明を実施する形態の一例であって、図中、図３と同一の符号を付した部分は同一物を表わしており、ピット２を、整流版８によって、冷却水等の液体１が導入される導入側ピット部２ａと、反整流版８側の底部に放流口５が形成された放流側ピット部２ｂとに仕切ると共に、前記整流版８に、導入側ピット部２ａに導入された冷却水等の液体１を放流側ピット部２ｂへ向け斜め上方向への速度ベクトルを与えつつ放流側ピット部２ｂへ導く複数の流通孔８ａを穿設し、前記放流側ピット部２ｂに貯留される冷却水等の液体１の表層部に、前記整流版８を通過した冷却水等の液体１に含まれる気泡を溜め且つ該気泡が放流口５側へ移動することを阻止するカーテンウォール７を配設したものである。
【００２３】
本図示例の場合、前記整流版８に穿設される各流通孔８ａの水平に対する傾斜角度θは、およそ４５°程度としてあるが、ピット２の大きさや導入される冷却水等の液体１の流量等に応じて４５°程度或いはそれ以上とすることが有効となる。
【００２４】
又、前記整流版８の冷却水等の液体１中に浸る部分の総面積に対する流通孔８ａの開口率は、およそ４０〜５０［％］程度とすることが有効となる。尚、前記整流版８は、複数の孔が穿設されたコンクリートの壁で構成され、該コンクリートの壁の孔に対し、ＰＶＣ（ポリ塩化ビニール）等の管を嵌入することによって流通孔８ａが形成されるようにしてあり、これにより、流通孔８ａを流れる冷却水等の液体１によってコンクリートの孔の部分が侵食されることを防止するようにしてある。
【００２５】
更に、前記放流側ピット部２ｂのカーテンウォール７より放流口５側に貯留される液体の表層部には、気泡を壊すための浮体９を配設するようにしてある。該浮体９は、硬質発泡スチロール等の材料で形成し、複数の浮体９によって、カーテンウォール７より放流口５側に貯留される冷却水等の液体１の表層部全体を覆うようにしてあり、各浮体９にはそれぞれ、例えば、図２に示す如く、四隅部に板状の錘９ａを固着し、各浮体９の底部が所要量だけ冷却水等の液体１中に沈み込むようにしてある。
【００２６】
又、前記浮体９の冷却水等の液体１に対する接触面には、界面活性剤等の消泡剤を塗布するようにしてある。
【００２７】
次に、上記図示例の作用を説明する。
【００２８】
冷却水等の液体１は、整流版８によって仕切られたピット２の導入側ピット部２ａに導入され、該導入側ピット部２ａから整流版８の複数の流通孔８ａを通過する際、放流側ピット部２ｂへ向け斜め上方向への速度ベクトルが与えられつつ放流側ピット部２ｂへ導かれ、これにより、冷却水等の液体１に同伴された気泡は、放流側ピット部２ｂに貯留される冷却水等の液体１の表層部に集められる形となり、そこに配設されたカーテンウォール７により溜められて放流口５側へ移動することが阻止され、気泡のなくなった冷却水等の液体１が放流口５から海等に放流される。
【００２９】
この結果、冷却水等の液体１の滝落とし状態での導入に対応できると共に、従来のように目の細かい格子状のスクリーン３を用いる必要がなく、複数の流通孔８ａが穿設された整流版８を設ければ良いため、該整流版８の流通孔８ａには目詰まり等が発生しにくく、メンテナンス等を頻繁に行わなくて済む。
【００３０】
更に、本図示例においては、放流側ピット部２ｂのカーテンウォール７より放流口５側に貯留される冷却水等の液体１の表層部に、気泡を壊すための浮体９を配設するようにしてあるため、仮に気泡がカーテンウォール７をくぐり抜けて放流口５側に移動したり、或いは分離されずに冷却水等の液体１に同伴された気泡があったとしても、該気泡は、浮体９によりその重みで押し潰される形で壊され、放流口５から海等に放流されることがより確実に阻止されることとなる。
【００３１】
又、前記浮体９の冷却水等の液体１に対する接触面には、界面活性剤等の消泡剤を塗布するようにしてあるため、気泡を浮体９によりその重みで押し潰す形で壊すだけでなく、更に消泡剤により気泡の表面張力をなくして、該気泡の除去をより確実に行うことが可能となる。尚、この場合、前記浮体９の冷却水等の液体１に対する接触面に塗布する消泡剤は少量で良く、冷却水等の液体１にスプレーノズルから大量の消泡剤を噴霧するのとは異なり、海洋汚染の原因となる心配はない。
【００３２】
こうして、メンテナンス等を頻繁に行うことなく、冷却水等の液体１から気泡を確実に除去して海等に放流することができ、景観を損ねることを防止し得る。
【００３３】
尚、本発明の消泡装置は、上述の図示例にのみ限定されるものではなく、本発明の要旨を逸脱しない範囲内において種々変更を加え得ることは勿論である。
【図面の簡単な説明】
【００３４】
【図１】本発明を実施する形態の一例の側断面図である。
【図２】本発明を実施する形態の一例における浮体の平面図である。
【図３】従来例の側断面図である。
【符号の説明】
【００３５】
１    液体
２    ピット
２ａ  導入側ピット部
２ｂ  放流側ピット部
５    放流口
７    カーテンウォール
８    整流版
８ａ  流通孔
９    浮体
θ    傾斜角度
【図１】
2005224680.tif 000003
【図２】
2005224680.tif 000004
【図３】
2005224680.tif 000005